(57)【要約】【課題】メモリと、データ制御プロセッサと、画像データプロセッサとを含むカラーディスプレイの色調整装置を提供する。【解決手段】データ制御プロセッサは、多次元色変換対応テーブルを作成し、メモリに保存して、随時読み出すことが可能である。そして、画像データプロセッサは入力画像の色データを受信し、そして、データ制御プロセッサから多次元色変換対応テーブルを介して色変換を行い、画像の色データを出力し、該多次元色変換対応テーブルを用いて、それぞれの色を独立に変換することができる。【選択図】図２
2007293157.tif 000002
【特許請求の範囲】
【請求項１】
カラーディスプレイの色調整に適用する色調整装置であって、
メモリと、
該メモリに接続され、３次元色変換対応テーブルである色変換対応テーブルを作成するとともに、該色変換対応テーブルを該メモリに保存するためのデータ制御プロセッサと、
該データ制御プロセッサに接続され、入力画像データを出力画像データに変換して、該入力画像データを利用して、該データ制御プロセッサから該メモリの該色変換対応テーブルを読み出し、該出力画像データを取得するとともに、該画像データ制御プロセッサに転送するための画像データプロセッサと、
を含むことを特徴とする色調整装置。
【請求項２】
該画像データプロセッサに接続され、該出力画像データを表現するためのディスプレイパネルをさらに含むことを特徴とする請求項１に記載の色調整装置。
【請求項３】
該ディスプレイパネルは、ディスプレイ、テレビ、又はハイビジョンテレビであることを特徴とする請求項２に記載の色調整装置。
【請求項４】
カラーディスプレイの色調整に適用する色調整装置であって、
メモリと、
該メモリに接続され、３次元色変換対応テーブルである色変換対応テーブルを作成するとともに、該色変換対応テーブルを該メモリに保存するためのデータ制御プロセッサと、
該データ制御プロセッサに接続され、入力画像データを該データ制御プロセッサに転送し、該データ制御プロセッサは該入力画像データに基づいて該メモリの該色変換対応テーブルを読み出し、出力画像データに変換するための画像データプロセッサと、
を含むことを特徴とする色調整装置。
【請求項５】
該画像データプロセッサに接続され、該出力画像データを表現するためのディスプレイパネルをさらに含むことを特徴とする請求項４に記載の色調整装置。
【請求項６】
該ディスプレイパネルは、ディスプレイ、テレビ、又はハイビジョンテレビであることを特徴とする請求項５に記載の色調整装置。
【請求項７】
請求項１又は４に記載の色調整装置を用いて行われる色調整方法であって、
色変換対応テーブルを作成し、該データ制御プロセッサは、第１の色をインデックスキーとし、第２の色をインデックス値とし、該インデックスキーを利用して、該インデックス値に対応するステップと、
該色変換対応テーブルを保存して、該データ制御プロセッサは、該色変換対応テーブルを該メモリに保存して、随時読み出すステップと、
入力画像データを変換し、該データ制御プロセッサは、入力画像データをインデックスキーとし、該色変換対応テーブルを参照し、該インデックスキーに対応した該インデックス値を取得するステップと、
画像データを出力し、該データ制御プロセッサは該インデックス値に対応した色を取得して出力するステップと、
を含むことを特徴とするカラーディスプレイの色調整方法。
【請求項８】
該データ制御プロセッサ又は該画像データプロセッサは、該出力画像データを出力することを特徴とする請求項７に記載の色調整方法。
【発明の詳細な説明】
【技術分野】
【０００１】
本発明は、カラーディスプレイの色調整装置及び方法に関し、特に、３次元色変換対応テーブルを利用した色調整装置及び方法に関する。
【背景技術】
【０００２】
カラーディスプレイの色調整装置は、カラーディスプレイの色をもっと豊富に取り揃えるためのものであり、従来の色調整装置は３原色を調整基準としている。
【０００３】
1つの色は、３原色を適当な割合で混ぜ合わせて、又はカラーディスプレイにおける異なる諧調から構成される。即ち、いずれの色も、３原色に分解することができるが、異なる諧調を組み合わせてなるものである。カラーディスプレイは、色調整を行う場合、パレットを用いて、１つの原色の諧調を調整すれば良いが、従来において、該原色の諧調が調整された後、全ての画像において、全ての該原色の諧調が、独立に調整されず、同時に調整されてしまっていた。
【０００４】
図１は、従来技術のパレット１０を示す図である。図１のように、パレットは、（ＲＫ，ＲＶ）、（ＧＫ，ＧＶ）、（ＢＫ，ＢＶ）のように、３種類の対応に分けている。２５６ｘ２５６ｘ２５６のカラーディスプレイのそれぞれの原色は、２５６諧調であり、パレット１０の色は、（Ｒｘ，Ｇｘ，Ｂｘ）を（Ｒｙ，Ｇｙ，Ｂｙ）に対応させる。全ての色は、（Ｒｘ，Ｇ１，Ｂｋ）を（Ｒy，Ｇ１，Ｂｋ）に、（Ｒ１，Ｇｘ，Ｂｋ）を（Ｒ１，Ｇy，Ｂｋ）に、(Ｒ１，Ｇｋ，Ｂｘ)を（Ｒ１，Ｇｋ，Ｂy）に対応させる。それぞれ相互に影響される色は２５６ｘ２５６個と高いので、1つの対応は３ｘ２５６ｘ２５６個の色に影響を与える。
【発明の開示】
【発明が解決しようとする課題】
【０００５】
上記問題点を解決するために、本発明は、それぞれの色には独立に対応する色があり、色調整を行うとき、それぞれ独立させることを目的としている。
【課題を解決するための手段】
【０００６】
上記目的を達成するために、本発明の色調整装置は、
メモリと、
該メモリに接続され、３次元色変換対応テーブルである色変換対応テーブルを作成するとともに、該色変換対応テーブルを該メモリに保存するためのデータ制御プロセッサと、
該データ制御プロセッサに接続され、入力画像データを出力画像データに変換して、該入力画像データを利用して、該データ制御プロセッサから該メモリの該色変換対応テーブルを読み出し、該出力画像データを取得するとともに、該画像データ制御プロセッサに転送するための画像データプロセッサと、
を含むことを特徴とする色調整装置である。
【０００７】
本発明の他の色調整装置は、
メモリと、
該メモリに接続され、３次元色変換対応テーブルである色変換対応テーブルを作成するとともに、該色変換対応テーブルを該メモリに保存するためのデータ制御プロセッサと、
該データ制御プロセッサに接続され、入力画像データを該データ制御プロセッサに転送し、該データ制御プロセッサは該入力画像データに基づいて該メモリの該色変換対応テーブルを読み出し、出力画像データに変換するための画像データプロセッサと、
を含むことを特徴とする色調整装置である。
【０００８】
三次元色対応テーブルは、（インデックスキー，インデックス値）の対応テーブルから構成され、それぞれのインデックスキーを元の色に対応させて、それぞれのインデックス値を調整色に対応させることにより、三次元色対応テーブルから、入力色を出力色に速く変換することができる。
【０００９】
本発明の色調整装置の調整方法は、
色変換対応テーブルを作成し、該データ制御プロセッサは、第１の色をインデックスキーとし、第２の色をインデックス値とし、該インデックスキーを利用して、該インデックス値に対応するステップと、
該色変換対応テーブルを保存して、該データ制御プロセッサは、該色変換対応テーブルを該メモリに保存して、随時読み出すステップと、
入力画像データを変換し、該データ制御プロセッサは、入力画像データをインデックスキーとし、該色変換対応テーブルを参照し、該インデックスキーに対応した該インデックス値を取得するステップと、
画像データを出力し、該データ制御プロセッサは該インデックス値に対応した色を取得して出力するステップと、
を含むことを特徴とするカラーディスプレイの色調整方法である。
【発明の効果】
【００１０】
本発明のカラーディスプレイの色調整装置及び方法は、それぞれの色には独立に対応する色があり、色調整を行うとき、それぞれの色を独立に変換させることができる。
【発明を実施するための最良の形態】
【００１１】
まず、色の３次元座標を説明する。それぞれの色は、３原色の組合せを分解し、（Ｒ，Ｇ，Ｂ）のように示す。そして、（Ｒ，Ｇ，Ｂ）で３次元座標システムを作成する。２５６ｘ２５６ｘ２５６のカラーディスプレイを例として、それぞれの色は（Ｒ，Ｇ，Ｂ）に示され、且つ、Ｒ、Ｇ、Ｂは、いずれも０、１、２・・・２５５であり、つまり、カラーディスプレイのそれぞれの色は、３次元座標システムの整数ドットに示すことができる。
【００１２】
次に、３次元色変換対応テーブルを説明する。色調整を行う場合、入力色を定義域とし、出力色を値域とし、カラーディスプレイの定義域又は値域は、色の三次元座標における整数ドットで示すことができる。定義域におけるドットの対応する色はインデックスキーであり、値域におけるドットの色はインデックス値と呼ばれる。この（インデックスキー，インデックス値）の対応テーブルは、３次元色変換対応テーブルであり、３次元色変換対応テーブルを介して、それぞれの色を独立に変換することができる。
【００１３】
図２は、本発明の一実施例におけるカラーディスプレイの色調整装置のシステム構成を示す図である。メモリ１１２は、データ制御プロセッサ１１１に接続されて、データ制御プロセッサ１１１は、３次元色変換対応テーブル（ＬＵＴと示す）を作成するとともに、対応テーブルをメモリ１１２に保存する。これにより、データ制御プロセッサ１１１は、３次元色変換対応テーブルを随時読み出し、色調整を行うことができる。そして、画像データプロセッサ１２０もデータ制御プロセッサ１１１に接続されて、入力画像の色データをデータ制御プロセッサ１１１に転送し、出力画像の色データを変換し、画像データプロセッサ１２０に戻してから、最後にディスプレイパネル１３０に出力する。
【００１４】
図３は、本発明の一実施例におけるカラーディスプレイの色調整装置のシステム構成を示す図である。前述した実施例との相違点は、データ制御プロセッサ２１１の調整される出力画像の色データを直接ディスプレイパネル２３０に転送して、色調整を完了することである。
【００１５】
次に、図３を詳しく説明する。メモリ２１２がデータ制御プロセッサ２１１に接続されて、データ制御プロセッサ２１１を、３次元色変換対応テーブルＬＵＴを作成するとともに、対応テーブルをメモリ２１２に保存することにより、データ制御プロセッサ２１１は、３次元色変換対応テーブルを随時読み出し、色調整を行うことができる。そして、画像データプロセッサ２２０もデータ制御プロセッサ２１１に接続されて、入力画像の色データをデータ制御プロセッサ２１１に転送し、出力画像の色データを変換し、ディスプレイパネル２３０に戻す。
【００１６】
図４は、本発明の一実施例による実施ステップの流れを示す図であり、図２（図３）に合わせて、以下のように説明する。
【００１７】
ステップＳ１１１：３次元色変換対応テーブルを作成し、データ制御プロセッサ１１１（２１１）から色を入出力するための対応テーブルを作成する。
【００１８】
ステップＳ１１２：色変換対応テーブルを保存し、データ制御プロセッサ１１１（２１１）から作成される色変換対応テーブルをメモリ１１２（２１２）に保存し、データ制御プロセッサ１１１（２１１）は対応テーブルの内容を随時読み出す又は修正することが可能である。
【００１９】
ステップＳ１２１：画像データを変換し、画像データプロセッサ１２０（２２０）は入力画像の色データをデータ制御プロセッサ１１１（２１１）に転送し、データ制御プロセッサ１１１（２１１）は、入力画像の色データを出力画像の色データに変換する。
【００２０】
ステップＳ１２２：画像データを出力し、データ制御プロセッサ１１１（２１１）は出力色データをディスプレイパネル１３０に転送し、または画像データを画像データプロセッサ１２０に転送して、ディスプレイパネル２３０に出力することにより、色変換を完了する。
【００２１】
図５は、３次元色変換対応テーブルの構成図である。その構成を説明すると、（ＣＫ，ＣＶ）は、（インデックスキー，インデックス値）を示し、各ＣＫは（Ｒｘ，Ｇｘ，Ｂｘ）を示し、インデックス値は（Ｒｙ，Ｇｙ，Ｂｘ）を示す。２５６ｘ２５６ｘ２５６のカラーディスプレイを例として、インデックスキーには２５６ｘ２５６ｘ２５６（２２４＝１６０万）の数値のドット，同じインデックス値にも２５６ｘ２５６ｘ２５６の数値のドットがあるため、１対１の対応ができる。従来の技術は３原色を基準として、そのパレットのいずれかの色には２５６個の値があるが、インデックスキーには単に３ｘ２５６個の値があるため、１対１の対応ができない(インデックス値には２５６ｘ２５６ｘ２５６＞３ｘ２５６)。
【００２２】
説明の便宜のために、カラーディスプレイのそれぞれの諧調を２５６階調と仮設したが、これに限ることはない。色調整方法は、３原色ではなく、多次元色である場合、３次元色変換対応テーブルを多次元色変換対応テーブルに調整しても、本発明の範囲を逸脱することはない。
【００２３】
以上、本発明の実施例について説明したが、この実施例は、本発明の技術思想と特性を説明するためのものであり、当業者に本発明の内容を理解させるとともにその内容によって実施することができることを目的として、本発明の特許請求の範囲を限定するためのものではない。本発明の特許請求の範囲は、本発明に開示された思想によって作られる均等の変更／改良が含まれることが意図される。
【図面の簡単な説明】
【００２４】
【図１】従来のパレットを示す図である。
【図２】本発明の一実施例における色調整装置を示す図である。
【図３】本発明の一実施例における色調整装置を示す図である。
【図４】本発明の他の実施例における実施ステップの流れを示す図である。
【図５】本発明の他の実施例における色変換対応テーブルを示す図である。
【符号の説明】
【００２５】
１０      パレット
１００    色変換対応テーブル
１１１    データ制御プロセッサ
１１２    メモリ
１２０    画像データプロセッサ
１３０    ディスプレイパネル
２１１    データ制御プロセッサ
２１２    メモリ
２２０    画像データプロセッサ
２３０    ディスプレイパネル
ＬＵＴ  ３次元色変換対応テーブル
Ｓ１１１  色変換対応テーブル作成
Ｓ１１２  色変換対応テーブル保存
Ｓ１２１  画像データ変換
Ｓ１２２  画像データ出力
【図１】
2007293157.tif 000003
【図２】
2007293157.tif 000004
【図３】
2007293157.tif 000005
【図４】
2007293157.tif 000006
【図５】
2007293157.tif 000007